(57)【要約】【課題】ローカライズされてリストアップされている以外の用紙サイズを追加で定型用紙サイズ化することが可能なプリンタドライバ及び印刷出力装置を提供できるようにする。【解決手段】認識された国以外の文化圏から来たユーザが自己の文化圏で使用する用紙サイズなどを使用して印刷を行う場合に、それらの用紙サイズは印刷出力装置１１０の認識上において、「ユーザ定義用紙サイズ」の分類で扱われることになるのを解消できるようにすることにより、広範囲の地域に対応することが可能な情報（World Wideな情報）を内部に所持している印刷出力装置１１０において、「定型用紙サイズ」として高度な印刷設定を利用できるようにする。【選択図】図１
2008225603.tif 000002
【特許請求の範囲】
【請求項１】
広範囲の地域に対応することが可能な情報を内部に所持している印刷出力装置と通信可能な印刷制御端末装置であって、
前記印刷出力装置を使用して印刷を行う用紙の情報を外部から取得する取得手段と、
前記印刷出力装置に対して、前記印刷を行う用紙がサポートされているか否かを問い合わせる問い合わせ手段と、
前記問い合わせ手段による問い合わせ結果に基いて、前記広範囲の地域に対応することが可能な情報を定型用紙として扱うことが可能であるか否かを判断する判断手段と、
前記判断手段の判断結果に基いて、前記広範囲の地域に対応することが可能な情報を定型用紙として取り扱って印刷を行うように設定する印刷設定手段とを有することを特徴とする印刷制御端末装置。
【請求項２】
前記印刷出力装置から回答された用紙サイズ能力と、前記取得手段により外部から取得した特定国の用紙情報とから、前記広範囲の地域に対応することが可能な情報が確認された定型用紙サイズであるかどうかを表示装置に表示する表示手段を有することを特徴とする請求項１に記載の印刷制御端末装置。
【請求項３】
広範囲の地域に対応することが可能な情報を内部に所持している印刷出力装置と、前記印刷出力装置が処理可能な印刷データを生成する印刷制御端末装置とから構成される印刷システムであって、
前記印刷制御端末装置は、
前記印刷出力装置を使用して印刷を行う用紙の情報を外部から取得する取得手段と、
前記印刷出力装置に対して、前記印刷を行う用紙がサポートされているか否かを問い合わせる問い合わせ手段と、
前記問い合わせ手段による問い合わせ結果に基いて、前記広範囲の地域に対応することが可能な情報を定型用紙として扱うことが可能であるか否かを判断する判断手段と、
前記判断手段の判断結果に基いて、前記広範囲の地域に対応することが可能な情報を定型用紙として取り扱って印刷を行うように設定する印刷設定手段とを有し、
前記印刷出力装置は、
通信回線を介して接続された印刷制御端末装置からの問い合わせに対して、当該問い合わせにて指定された用紙をサポート可能か否かを回答する回答手段を有することを特徴とする印刷システム。
【請求項４】
広範囲の地域に対応することが可能な情報を内部に所持している印刷出力装置と通信可能な印刷制御端末装置の制御方法であって、
前記印刷出力装置を使用して印刷を行う用紙の情報を外部から取得する取得工程と、
前記印刷出力装置に対して、前記印刷を行う用紙がサポートされているか否かを問い合わせる問い合わせ工程と、
前記問い合わせ工程による問い合わせ結果に基いて、前記広範囲の地域に対応することが可能な情報を定型用紙として扱うことが可能であるか否かを判断する判断工程と、
前記判断工程の判断結果に基いて、前記広範囲の地域に対応することが可能な情報を定型用紙として取り扱って印刷を行うように設定する印刷設定工程とを有することを特徴とする印刷制御端末装置の制御方法。
【請求項５】
前記印刷出力装置から回答された用紙サイズ能力と、前記取得工程により外部から取得した特定国の用紙情報とから、前記広範囲の地域に対応することが可能な情報が確認された定型用紙サイズであるかどうかを表示装置に表示する表示工程を有することを特徴とする請求項４に記載の印刷制御端末装置の制御方法。
【請求項６】
広範囲の地域に対応することが可能な情報を内部に所持している印刷出力装置と、前記印刷出力装置が処理可能な印刷データを生成する印刷制御端末装置とから構成される印刷システムの制御方法であって、
前記印刷制御端末装置は、
前記印刷出力装置を使用して印刷を行う用紙の情報を外部から取得する取得工程と、
前記印刷出力装置に対して、前記印刷を行う用紙がサポートされているか否かを問い合わせる問い合わせ工程と、
前記問い合わせ工程による問い合わせ結果に基いて、前記広範囲の地域に対応することが可能な情報を定型用紙として扱うことが可能であるか否かを判断する判断工程と、
前記判断工程の判断結果に基いて、前記広範囲の地域に対応することが可能な情報を定型用紙として取り扱って印刷を行うように設定する印刷設定工程とを有し、
前記印刷出力装置は、
通信回線を介して接続された印刷制御端末装置からの問い合わせに対して、当該問い合わせにて指定された用紙をサポート可能か否かを回答する回答工程を有することを特徴とする印刷システムの制御方法。
【請求項７】
広範囲の地域に対応することが可能な情報を内部に所持している印刷出力装置と通信可能な印刷制御端末装置を制御する工程をコンピュータに実行させるプログラムであって、
前記印刷出力装置を使用して印刷を行う用紙の情報を外部から取得する取得工程と、
前記印刷出力装置に対して、前記印刷を行う用紙がサポートされているか否かを問い合わせる問い合わせ工程と、
前記問い合わせ工程による問い合わせ結果に基いて、前記広範囲の地域に対応することが可能な情報を定型用紙として扱うことが可能であるか否かを判断する判断工程と、
前記判断工程の判断結果に基いて、前記広範囲の地域に対応することが可能な情報を定型用紙として取り扱って印刷を行うように設定する印刷設定工程とをコンピュータに実行させることを特徴とするプログラム。
【発明の詳細な説明】
【技術分野】
【０００１】
本発明は印刷制御端末装置、印刷制御端末装置の制御方法び印刷システムに関し、特に、多言語環境においてローカライズされて遮蔽されている用紙サイズにおける印刷データを、定型用紙サイズとして認識させて印刷可能にするために用いて好適な技術に関する。
【背景技術】
【０００２】
従来、定型用紙サイズとして扱う方法としては、例えば、用紙サイズを物理的あるいは光学センサーなどで検知する。そして、その検知した結果が定型サイズ情報に合致するかを確認して印刷出力装置のトレイに設置された定型用紙サイズとして扱う方法が知られている（例えば、特許文献１参照）。それらの判断の結果は、何れもローカライズされる国（仕向け地）向けに設定されて用意されているものであった。
【０００３】
また、不定形サイズにおいても物理的あるいは光学センサーを用いて用紙サイズを検知する方法（例えば、特許文献２参照）も存在するが、それも仕向け地向けの定型サイズへの定義の範囲であった。
【０００４】
また、特許文献３においては、用紙グループ編集部で、地域毎や用途毎に、利用可能な用紙サイズを複数含む用紙グループを設定して用紙グループ保持部に保持させるようにしている。そして、用紙グループ選択部が前記用紙グループ保持部に保持されている用紙グループから選択した用紙グループに含まれる用紙サイズのみを、用紙選択部で選択可能としている。
【０００５】
【特許文献１】特開平０６−０７２５６２号公報
【特許文献２】特開平０６−２３９４９２号公報
【特許文献３】特開２００５−１１５６７６号公報
【発明の開示】
【発明が解決しようとする課題】
【０００６】
従来の技術において、統合された製品開発と、現地化対応（ローカライズ）という点を両立した開発が進む状況において、ローカルIDを利用した国別に認識されたドライバが導入されている。
【０００７】
このため、例えばプリンタドライバによって認識された国以外の文化圏から来たユーザが自己の文化圏で使用する用紙サイズなどを使用する場合に、それらの用紙サイズは認識上において、「ユーザ定義用紙サイズ」の分類で扱われなくなる。つまり、印刷装置は、全国用に対応すべく生産されているため、実際はサポート可能な用紙であっても、印刷装置の発注先と異なる地域の用紙サイズは、プリンタドライバにおいて不定型用紙サイズとして扱われてしまう。したがって、例えばプリンタドライバによって認識された国以外の用紙は「定型用紙サイズ」に対して設定可能なデバイスの高度な印刷設定を利用できないという課題があった。
【０００８】
本発明は前述の問題点に鑑み、ローカライズされてリストアップされている以外の用紙サイズを追加で定型用紙サイズ化できるようにすることを目的としている。
【課題を解決するための手段】
【０００９】
本発明の印刷制御端末装置は、広範囲の地域に対応することが可能な情報を内部に所持している印刷出力装置と通信可能な印刷制御端末装置であって、前記印刷出力装置を使用して印刷を行う用紙の情報を外部から取得する取得手段と、前記印刷出力装置に対して、前記印刷を行う用紙がサポートされているか否かを問い合わせる問い合わせ手段と、前記問い合わせ手段による問い合わせ結果に基いて、前記広範囲の地域に対応することが可能な情報を定型用紙として扱うことが可能であるか否かを判断する判断手段と、前記判断手段の判断結果に基いて、前記広範囲の地域に対応することが可能な情報を定型用紙として取り扱って印刷を行うように設定する印刷設定手段とを有することを特徴とする。
【００１０】
本発明の印刷システムは、広範囲の地域に対応することが可能な情報を内部に所持している印刷出力装置と、前記印刷出力装置が処理可能な印刷データを生成する印刷制御端末装置とから構成される印刷システムであって、前記印刷制御端末装置は、前記印刷出力装置を使用して印刷を行う用紙の情報を外部から取得する取得手段と、前記印刷出力装置に対して、前記印刷を行う用紙がサポートされているか否かを問い合わせる問い合わせ手段と、前記問い合わせ手段による問い合わせ結果に基いて、前記広範囲の地域に対応することが可能な情報を定型用紙として扱うことが可能であるか否かを判断する判断手段と、前記判断手段の判断結果に基いて、前記広範囲の地域に対応することが可能な情報を定型用紙として取り扱って印刷を行うように設定する印刷設定手段とを有し、前記印刷出力装置は、通信回線を介して接続された印刷制御端末装置からの問い合わせに対して、当該問い合わせにて指定された用紙をサポート可能か否かを回答する回答手段を有することを特徴とする。
【００１１】
本発明の印刷制御端末装置の制御方法は、広範囲の地域に対応することが可能な情報を内部に所持している印刷出力装置と通信可能な印刷制御端末装置の制御方法であって、前記印刷出力装置を使用して印刷を行う用紙の情報を外部から取得する取得工程と、前記印刷出力装置に対して、前記印刷を行う用紙がサポートされているか否かを問い合わせる問い合わせ工程と、前記問い合わせ工程による問い合わせ結果に基いて、前記広範囲の地域に対応することが可能な情報を定型用紙として扱うことが可能であるか否かを判断する判断工程と、前記判断工程の判断結果に基いて、前記広範囲の地域に対応することが可能な情報を定型用紙として取り扱って印刷を行うように設定する印刷設定工程とを有することを特徴とする。
【００１２】
本発明の印刷システムの制御方法は、広範囲の地域に対応することが可能な情報を内部に所持している印刷出力装置と、前記印刷出力装置が処理可能な印刷データを生成する印刷制御端末装置とから構成される印刷システムの制御方法であって、前記印刷制御端末装置は、前記印刷出力装置を使用して印刷を行う用紙の情報を外部から取得する取得工程と、前記印刷出力装置に対して、前記印刷を行う用紙がサポートされているか否かを問い合わせる問い合わせ工程と、前記問い合わせ工程による問い合わせ結果に基いて、前記広範囲の地域に対応することが可能な情報を定型用紙として扱うことが可能であるか否かを判断する判断工程と、前記判断工程の判断結果に基いて、前記広範囲の地域に対応することが可能な情報を定型用紙として取り扱って印刷を行うように設定する印刷設定工程とを有し、前記印刷出力装置は、通信回線を介して接続された印刷制御端末装置からの問い合わせに対して、当該問い合わせにて指定された用紙をサポート可能か否かを回答する回答工程を有することを特徴とする。
【００１３】
本発明のプログラムは、広範囲の地域に対応することが可能な情報を内部に所持している印刷出力装置と通信可能な印刷制御端末装置を制御する工程をコンピュータに実行させるプログラムであって、前記印刷出力装置を使用して印刷を行う用紙の情報を外部から取得する取得工程と、前記印刷出力装置に対して、前記印刷を行う用紙がサポートされているか否かを問い合わせる問い合わせ工程と、前記問い合わせ工程による問い合わせ結果に基いて、前記広範囲の地域に対応することが可能な情報を定型用紙として扱うことが可能であるか否かを判断する判断工程と、前記判断工程の判断結果に基いて、前記広範囲の地域に対応することが可能な情報を定型用紙として取り扱って印刷を行うように設定する印刷設定工程とをコンピュータに実行させることを特徴とする。
【発明の効果】
【００１４】
本発明によれば、ローカライズされてリストアップされている以外の用紙サイズを追加で定型用紙サイズ化することが可能となる。これにより、ローカライズされた環境においても、ローカライズ以外の国、文化圏の用紙サイズであっても、定型用紙サイズの扱いで実行することができる。また、プリンタドライバが有する高度な印刷設定機能を、定型用紙サイズとして設定することが可能となるので、ユーザの便意性を向上させることができる。
【発明を実施するための最良の形態】
【００１５】
（第１の実施形態）
以下、図面を参照して本発明の実施の形態を詳細に説明する。
図１は、第１の実施形態における印刷システムの構成例を表したブロック図である。
【００１６】
図１において、アプリケーションソフト１０７は、ホストコンピュータ（印刷制御端末装置）１００の基本ソフトウェアであるオペレーティングシステム（以下、ＯＳ）上で動作するソフトウェアである。アプリケーションソフト１０７としては、文書作成用のワープロソフトや、図面作成ソフト、プレゼンテーションソフトなどが考えられ、作成したデータを印刷する機能を有しているものである。なお、ホストコンピュータと印刷出力装置は通信可能である。
【００１７】
印字データ処理部１０８は、ＧＤＩと呼ばれるＯＳ固有の出力画像情報の処理を司るＯＳのサブシステムを含む、アプリケーションからの出力依頼データを、印刷出力装置１１０において印刷処理可能な書式に変換する処理部である。つまり、印字データ処理部１０８は、印刷出力装置が処理可能な印刷データを生成する。なお、ＧＤＩとは、グラフィックデバイスインターフェースの略語である。
【００１８】
アプリケーションはこの印字データ処理部１０８を使うことにより、指定されたデバイスのデバイスドライバを動的にリンクして使用し、それぞれのデバイスに対する出力処理を行う。したがって、印刷出力装置１１０に出力する場合、アプリケーションは、この印字データ処理部１０８の一部であるプリンタドライバに対して出力依頼データ（アプリケーションデータともいう）を出力する。
【００１９】
また、印字データ処理部１０８は、印刷設定に対してユーザが設定を確認することができるように、且つ設定を行うことができるようにユーザインタフェースを備えている。これらは表示装置１０６を通してユーザが見ることができ、入力装置１０５を用いて設定を行うことができるように構成されている。
【００２０】
これらの一連の作業はＣＰＵ１０１、ＲＯＭ１０２、ＲＡＭ１０３を介して実行される。また、展開のために一時的なファイルが必要である場合に補助記憶装置１０４に一旦蓄えられてから印字データ処理部１０８を介して出力デバイスである印刷出力装置１１０に接続インタフェース（通信回線）１０９を通して送られて印刷される。
【００２１】
図２は、本願発明の背景技術を説明するシステム構成の一例を示す図である。
図２に示すように、ある国（図２の例ではＡ国）向けの印刷出力装置１１０は、その仕向け地向けの文化圏に合わせて、デバイス対応全用紙サイズリスト１１０１の中から、Ａ国向けフィルタ１１０２により用紙サイズのリスト１１０３を定義して出荷される。このために、図２において、符号２０１を付して示したような、その国向けの用紙サイズは定型用紙サイズとして取り扱うことが可能となり、高度な印刷設定を行うことができるようになる。
【００２２】
しかしながら、印刷出力装置１１０は、広範囲の地域に対応することが可能な情報（World Wideな情報）を内部に所持している。しかしながら、ある国（この例ではＡ国）向けにローカライズされているがために、本来デバイスの能力としては有していた用紙サイズがマスク（広範囲の地域に対応することが可能な情報が遮蔽されている）されている。その結果、図２において、符号２０２を付して示したような、他の国（この例ではＢ国）の用紙サイズ２０２は定型用紙サイズとして認識することができなかった。
【００２３】
図３は、本実施形態において他の国の用紙サイズを定型用紙サイズとして認識可能とした状態を説明するシステム構成図である。
本願発明は、背景技術である図２の符号３０１を付して示した第１の経路に加えて、本来遮蔽されているデバイス処理能力に対して、第２の経路（図３において、符号３０２を付して示した経路）を備えて従来の問題点を解決するようにしたものである。すなわち、本実施形態においては定型用紙処理可否判断部１１０４を設けている。
【００２４】
図４は、本実施形態における典型的なプリントシステムの流れを表現したフローチャートである。また、図５は、図４におけるデバイス能力取得工程の詳細を説明するフローチャートである。図４及び図５で説明する処理が行われることにより、図３で示した第２の経路３０２が追加されて印刷設定処理することが可能となる。
【００２５】
以下、図４及び図５のフローチャートに従い、本実施形態の印刷システムにおいて、印刷出力装置１１０の印刷設定動作を制御する処理手順を説明する。
本実施形態の一例においては、Ｂ国の人が出張などによりＡ国に出向いた時に、持参したＢ国の用紙を使用して高度な印刷を実行したい場合を説明する。
【００２６】
まず、印刷出力装置は、ユーザにより設置された用紙を認識する。なお、本実施例において、ユーザは、印刷出力装置１１０では非対応のＢ国（特定国）の用紙をトレイに設置したものとする（ステップＳ４０１）。次に、ホストコンピュータ１００は、印字データ処理部１０８を介して印刷出力装置１１０に対してデバイス情報取得を要求する（ステップＳ４０２）。
【００２７】
次に、ステップＳ４０３において、印字データ処理部１０８は、接続インタフェース１０９を介して回答されたデバイス情報を取得する。そして、当該デバイス情報に含まれる用紙サイズ能力に係る用紙情報を、印字データ処理部１０８内で割り当てる。次に、ステップＳ４０４に進み、ホストコンピュータ１００は、用紙サイズリストをユーザインタフェースに表示する。
【００２８】
次に、ステップＳ４０４１に進み、ホストコンピュータ１００は、表示装置１０６に表示されている標準状態のままで処理を行うか否かを判断する。この判断の結果、標準状態で処理を終える場合、印字データ処理部１０８は、印刷出力装置において非対応の用紙を不定形用紙サイズとして登録する。この場合、印刷出力装置において非対応な用紙は、従来の認識不能なユーザ定義用紙サイズとして認識されて高度な印刷設定を設定できない。
【００２９】
一方、ステップＳ４０４１の判断の結果、Ｂ国固有の用紙サイズ３１を定型用紙サイズとして処理する場合には、ステップＳ４０６に進み、ユーザが提供を受ける印刷目的の用紙サイズ情報３２（Appendix 用紙サイズ情報）を取得する。
【００３０】
次に、印字データ処理部１０８は、ステップＳ４０６において取得した用紙サイズ情報３２をＡ国向けプリンタドライバ２０１ａに一時的に登録する（ステップＳ４０７）。なお、以降ステップＳ４０７において登録した用紙を確認対象の用紙と記載することもある。
次に、印字データ処理部１０８は、印刷出力装置１１０に対してデバイスが本来有している用紙サイズの能力を問い合わせて取得する（ステップＳ４０８）。
【００３１】
図５のフローチャートは、前記デバイス本来の能力を問い合わせる手順（ステップＳ４０８）の詳細を説明するフローチャートである。
まず、最初にステップＳ５０１において、印字データ処理部１０８は、確認対象の用紙（本実施例ではＢ国の用紙）における機能競合確認（コンフリクト）を行う。具体的には、印字データ処理部１０８は、Ｂ国の用紙を定型用紙として扱っているか否かを確認する。
【００３２】
次に、印字データ処理部１０８は、確認対象の用紙を処理可能か否かを外部の印刷出力装置１１０の定型用紙処理可否判断部１１０４に対して問い合わせる（ステップＳ５０２）。例えば、印刷を行う用紙がサポートされているか否かを問い合わせる。具体的には、印刷出力装置１１０のデバイス対応全用紙サイズリストには、印刷出力装置１１０の仕向け地に関わらず全国向けの用紙が登録されている。よって、定型用紙処理可否判断部１１０４は、確認対象の用紙情報がデバイス対応全用紙サイズリストに登録されているか否かを判定し、その判定結果をステップＳ５０２に対する回答として送信する。
【００３３】
印字データ処理部１０８は、印刷出力装置１１０のコントローラの内部処理とプリンタドライバとの認識とを連動させる必要がある。そのため、印刷出力装置１１０によってローカライズ外の例外印刷用紙として扱われていた一意の認識コード（国コード＋文化コード＋用紙コード）を用紙サイズとして取得する（ステップＳ５０３）。
印字データ処理部１０８は、Ｓ５０３において一意の認識コードを取得した場合、印刷出力装置１１０が、確認対象の用紙をサポートしていることになるので、プリンタドライバに対して確認対象の用紙へ高度な印刷設定が可能となるように要求する（Ｓ５０４）。
【００３４】
次に、印字データ処理部１０８は、前記の確認結果に基づいて、確認対象の用紙を定型用紙サイズとして表示する（ステップＳ５０５）。この際、印字データ処理部１０８は、確認する対象であったＢ国固有の用紙２０２は、国が異なる印字データ処理部１０８の画面で表示されるために文字化けすることが考えられるので、一意の認識コードと併記する（ステップＳ５０６）。
【００３５】
印刷設定処理の説明を、図４のフローチャートに戻す。
ステップＳ４０８でデバイス能力を取得したら、次に、ステップＳ４０９に進んで定型用紙として認識されたか否かを判断する。この判断結果に基づいて、プリンタドライバで一方的に設定したり、定型トレイに無理やり設置したりするのではなく、印字データ処理部１０８と、印刷出力装置１１０（デバイス）との双方で定型用紙として処理することが認識された状態とすることが可能となる。したがって、ステップＳ４０９の判断の結果、定型扱い可能と判断された場合には、ユーザは高度な印刷設定を行うことが可能になる（ステップＳ４１０）。また、ステップＳ４０９の判断の結果、定型扱いが不可能と判断された場合には、ステップＳ４０５に進んで、前述したように、従来の認識不能なユーザ定義用紙サイズとして認識されて高度な印刷設定はできない状態で印刷処理が行われる。
【００３６】
以上説明してきたように、本実施形態によれば、ローカライズされた環境において、ローカライズされた以外の国、文化圏の用紙サイズを、動作が一定の保証された定型用紙サイズとして扱って確実に実行することができる。また、そのことによりプリンタドライバが有する高度な印刷設定機能を、定型用紙サイズとして設定することが可能となり、ユーザの利便性を向上することができる。
【００３７】
（本発明に係る他の実施形態）
前述した本発明の実施形態における印刷出力装置、印刷制御端末装置を構成する各手段、並びに印刷設定方法の各ステップは、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００３８】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００３９】
なお、本発明は、前述した実施形態の機能を実現するソフトウェアのプログラム（実施形態では図４、図５に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００４０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４１】
その場合、プログラムの機能を有していれば、オブジェクトコード、インタプリタにより実行されるプログラム、ＯＳに供給するスクリプトデータ等の形態であってもよい。
【００４２】
プログラムを供給するための記憶媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００４３】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記憶媒体にダウンロードすることによっても供給できる。
【００４４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００４６】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００４７】
さらに、記憶媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４８】
【図１】本発明の実施形態を示し、プリントシステムの構成例を示すブロック図である。
【図２】本願発明の背景技術を説明するシステム構成の一例を示す図である。
【図３】本実施形態において他の国の用紙サイズを定型用紙サイズとして認識可能とした状態を説明するシステム構成図である。
【図４】本発明の実施形態を示し、典型的なプリントシステムの流れを表現したフローチャートである。
【図５】図４におけるデバイス能力取得工程の詳細を説明するフローチャートである。
【符号の説明】
【００４９】
１００  印刷制御端末装置
１０１  ＣＰＵ
１０２  ＲＯＭ
１０３  ＲＡＭ
【図１】
2008225603.tif 000003
【図２】
2008225603.tif 000004
【図３】
2008225603.tif 000005
【図４】
2008225603.tif 000006
【図５】
2008225603.tif 000007